【手続補正書】
【提出日】平成25年6月5日(2013.6.5)
【手続補正１】
【補正対象書類名】特許請求の範囲
【補正対象項目名】全文
【補正方法】変更
【補正の内容】
【特許請求の範囲】
【請求項１】
遠隔地点を監視し、前記地点において発生するイベントに関する情報を提供する監視システムであって、
前記地点に関するリアルタイム情報を取得する、前記地点において発生していることの脅威評価をし、その評価の結果として差し迫った脅威があると判断すると、どんな行動をすべきか判断するセンサ手段であって、オーディオセンサ、人およびものの存在を検知するセンサ、化学、生物、及び／又は核センサ、爆発物センサを含む、ユーザが選択したセンサと組み合わせて用いる少なくとも１つのビデオセンサを含むセンサ手段であり、各センサは監視下の場所に応じて所望の組合せで用いられ、リアルタイムの脅威評価を行うために、その場所で何が起きているか、又は起きていないかを判断するのに必要な異なるタイプの情報を取得する、センサ手段と、
各センサの場所を正確に特定する検知手段と、
前記センサ手段からの出力をセキュアなまたは暗号化されたフォーマットに変換し、得られた情報を前記遠隔地点から、前記遠隔地点とは離れた他の地点に、ポイント・ツー・ポイント、ポイント・ツー・マルチポイント、又はメッシュネットワーク構成の、暗号化されたインターネットプロトコル標準ベースの無線周波数伝送を用いて送信する送信手段と、
前記離れた地点にあり、前記遠隔地点の情報をビデオディスプレイフォーマットに変換し、少なくとも１人のユーザが前記遠隔地における脅威評価をして、前記遠隔地点で発生していること、又は発生していないことにすぐ応答して、前記遠隔地点における状況に応答して適切なアクションを取れるように、前記ユーザによる前記情報の、固定、ポータブル、又はモバイルディスプレイ構成での、リアルタイムでの視聴のために、前記ユーザに前記情報をリアルタイムで表示する表示手段とを有する、監視システム。
【請求項２】
前記地点における物質の存在に応答した前記ディテクタのうちのいずれかから出力された警報に応じて、前記物質の存在が検知された地点に画像化手段を向ける、請求項１に記載の監視システム。
【請求項３】
前記センサ手段は、さらに、人、動物、及び金属製の及び非金属製の物の地上の及び空中での動きを検知する動きディテクタを含む、請求項１に記載の監視システム。
【請求項４】
前記センサ手段は、さらに、金属オブジェクトを検知する金属ディテクタを含む、請求項１に記載の監視システム。
【請求項５】
前記センサ手段は、さらに、前記センサ手段の近くにある物を検出するパッシブ赤外線ディテクタを含む、請求項１に記載の監視システム。
【請求項６】
前記オーディオ検知手段は、銃声と爆発音を含む大きなノイズを検知する手段を含み、前記センサ手段はさらにノイズの位置を特定する手段を含む、請求項１に記載のセンサ手段。
【請求項７】
各センサ手段の位置が特定され、前記ユーザへの表示のため前記遠隔地点に送信されるグローバルポジショニングシステムをさらに有し、前記表示により、前記センサ手段からの出力が表示されたとき、前記遠隔地点においてアクティビティが発生している正確な位置を前記ユーザが識別できる、請求項１に記載の監視システム。
【請求項８】
人と動物と物の動きを検知するレーダーをさらに含み、前記監視システムは、前記レーダーからの出力に応じて前記人、動物、又は物の存在が検出されたサイトに画像化手段を向ける、請求項１に記載の監視システム。
【請求項９】
ＲＦ波をリークする隠蔽ケーブルシステムとインタフェースし、人、動物、又は物が前記ケーブルシステムの近くを通ったとき、前記ＲＦ波の状態変化が検知され、
前記監視システムは、前記状態変化に応じて、画像化手段を、前記人、動物、又は物の存在が検出されたサイトに向ける、請求項１に記載の監視システム。
【請求項１０】
秘密システムであり、前記遠隔地点にある前記センサ手段を有する手段は、被監視者に分からないように、適切な方法で隠蔽されている、請求項１に記載の監視システム。
【請求項１１】
前記センサ手段からの出力はアナログ信号であり、
前記送信手段は、
前記アナログ信号をデジタル信号に変換するアナログ・デジタルコンバータと、
前記アナログ信号を暗号化された情報パケットに構成する手段と、
前記重宝パケットを前記遠隔地点に送信する送信器とを含む、請求項１に記載の監視システム。
【請求項１２】
前記送信手段は、前記監視システムと前記監視システムが通信する他のシステムとの間で通信するＶｏＩＰテレフォニーを提供する、請求項１に記載の監視システム。
【請求項１３】
前記情報は、各地点でユーザが同時に見ることができるように、同時に１つ以上の遠隔地に送信される、請求項１２に記載の監視システム。
【請求項１４】
前記情報が変換されるビデオディスプレイフォーマットにより、ユーザは、前記情報をハンドヘルドビデオディスプレイまたはモバイルビデオディスプレイで見ることができる、請求項１に記載の監視システム。
【請求項１５】
前記送信手段は、さらに、双方向音声通信機能を有する、請求項１に記載の監視システム。
【請求項１６】
前記送信手段は、３００ＭＨｚから４０ＧＨｚの周波数範囲内の少なくとも１つの周波数帯で動作する、請求項１に記載の監視システム。
【請求項１７】
前記遠隔地点において前記ユーザに表示された情報と、それに対して取られたアクションの結果として送られた前記遠隔地点からのコマンドに応じて所定機能を実行する、前記遠隔地点にあるアクション手段であって、前記アクション手段は、前記遠隔地点において前記センサ手段により検知された所定イベントの発生に応じて前記機能を実行するアクション手段をさらに有する、請求項１に記載の監視システム。
【請求項１８】
前記アクション手段は、さらに、前記遠隔地点において前記センサ手段により検知された一連の所定イベントの発生に応じて前記機能を実行する、請求項１７に記載の監視システム。
【請求項１９】
前記監視システムは秘密監視システムであり、前記アクション手段は前記遠隔地点において隠蔽された少なくとも１つの秘密デバイスを有する、請求項１８に記載の監視システム。
【請求項２０】
前記アクション手段は、
前記遠隔地点からのコマンドと、
前記所定イベントの発生と、
前記一連の所定イベントの発生と
のうちの１つに応じて起爆する爆発デバイスを有する、請求項１８に記載の監視システム。
【請求項２１】
前記アクション手段は、
前記遠隔地点からのコマンドと、
前記所定イベントの発生と、
前記一連の所定イベントの発生と
のうちの１つに又は組み合わせに応じて発火する発火デバイスを有する、請求項１９に記載の監視システム。
【請求項２２】
ユーザは、ページャ又は携帯電話を用いて前記アクション手段を遠隔的にアクティブ化又は非アクティブ化する、請求項１８に記載の監視システム。
【請求項２３】
前記遠隔地点において、そこにいる人又は物をねらうターゲティング手段とレーザーとをさらに含む、請求項１８に記載の監視システム。
【請求項２４】
前記監視システムにパワーを供給する、前記監視システムが非アクティブ化されそれによりパワーを節約するスリープモードを有するパワー手段と
前記監視システムをパワーアップ及びパワーダウンするタイミング手段とを有し、
前記パワー手段は、前記監視システムがアクティブ化されると、前記監視システムを所定の動作設定でパワーアップさせる、請求項１に記載の監視システム。
【請求項２５】
前記パワー手段はさらに、遠隔信号に応じて、前記監視システムをパワーアップ及びパワーダウンする、請求項２４に記載の監視システム。
【請求項２６】
前記パワー手段は、交換又は補給しなくても長い時間にわたって前記監視システムにパワーを供給できる電源を含む、請求項２４に記載の監視システム。
【請求項２７】
所定情報源から受信した警報に応じて、前記監視システムをアクティブ化するアクティブ化手段をさらに有する、請求項１に記載の監視システム。
【請求項２８】
前記アクティブ化手段はさらに携帯電話から送信された警報に応じる、請求項２７に記載の監視システム。
【請求項２９】
前記送信手段は、非公開、セキュアかつ暗号化されたネットワークを用いて、得られた情報を送信する、請求項１に記載の監視システム。